(57)【要約】    【課題】汎用の画像表示装置が有する機能を活用することで、画像表示装置の台数や構成形態の変更に柔軟に対応することができるマルチディスプレイ装置を実現する。    【解決手段】画像データ入力端子を介して入力された入力画像データから部分画像データを生成して該部分画像データに対応する部分画像を表示面に表示する複数の画像表示装置ＰＪ１〜ＰＪ４を有し、該複数の画像表示装置が表示する前記部分画像によって一画面を構成するマルチディスプレイ装置であって、該マルチディスプレイ装置は、画像データ入力端子に前記入力画像データを並列に出力可能な複数の出力端子を有する画像データ分配装置をさらに有し、前記複数の画像表示装置のそれぞれは、前記入力画像データから前記部分画像データを生成する画像データ処理部を有し、かつ、それぞれの前記画像データ入力端子が前記画像データ分配装置の複数の出力端子のうちいずれかに接続される。【選択図】  図１
2006349791.tif 000002
【特許請求の範囲】
【請求項１】
画像データ入力端子を介して入力された入力画像データから部分画像データを生成して前記部分画像データに対応する部分画像を表示面に表示する複数の画像表示装置を有し、前記複数の画像表示装置が表示する前記部分画像によって一画面を構成するマルチディスプレイ装置であって、
前記マルチディスプレイ装置は、前記画像データ入力端子に前記入力画像データを並列に出力可能な複数の出力端子を有する画像データ分配装置をさらに有し、
前記複数の画像表示装置のそれぞれは、前記入力画像データから前記部分画像データを生成する画像データ処理部を有し、かつ、それぞれの前記画像データ入力端子が前記画像データ分配装置の複数の出力端子のうちいずれかに接続されることを特徴とするマルチディスプレイ装置。
【請求項２】
請求項１に記載のマルチディスプレイ装置において、
前記画像データ処理部は、前記入力画像データにおける前記部分画像データの範囲を設定するための切出パラメータを用いて前記入力画像データから前記部分画像データを切り出すことを特徴とするマルチディスプレイ装置。
【請求項３】
請求項２に記載のマルチディスプレイ装置において、
前記切出パラメータは、前記入力画像データにおける前記部分画像データの範囲の始点位置に関するパラメータ及び拡大率に関するパラメータであることを特徴とするマルチディスプレイ装置。
【請求項４】
請求項２に記載のマルチディスプレイ装置において、
前記切出パラメータは、前記入力画像データにおける前記部分画像データの範囲の始点位置に関するパラメータ及び終点位置に関するパラメータであることを特徴とするマルチディスプレイ装置。
【請求項５】
請求項２に記載のマルチディスプレイ装置において、
前記切出パラメータは、前記入力画像データにおける前記部分画像データの範囲の始点位置に関するパラメータ、前記始点位置からの水平方向の距離に関するパラメータ及び前記始点位置からの垂直方向の距離に関するパラメータであることを特徴とするマルチディスプレイ装置。
【請求項６】
請求項２〜５のいずれかに記載のマルチディスプレイ装置において、
前記複数の画像表示装置のそれぞれに前記切出パラメータを送信する画像表示装置制御ユニットをさらに有することを特徴とするマルチディスプレイ装置。
【請求項７】
請求項６に記載のマルチディスプレイ装置において、
前記画像表示装置制御ユニットは、
前記複数の画像表示装置のそれぞれとの間で通信が可能な通信端子と、
前記複数の画像表示装置のいずれかを選択可能な画像表示装置選択部と、
前記画像表示装置選択部が選択する画像表示装置に前記通信端子を介して前記切出パラメータ及び前記画像表示装置に対する制御コマンドを送信する制御部と、
を有することを特徴とするマルチディスプレイ装置。
【請求項８】
画像データ入力端子を介して入力された入力画像データから部分画像データを生成して前記部分画像データに対応する部分画像を表示面に表示する複数の画像表示装置を有し、前記複数の画像表示装置が表示する前記部分画像によって一画面を構成するマルチディスプレイ装置であって、
前記複数の画像表示装置のそれぞれは、前記入力画像データから前記部分画像データを生成する画像データ処理部及び前記入力画像データを外部に出力可能な画像データ出力端子を有し、かつ、それぞれの前記画像データ入力端子及び前記画像データ出力端子を用いて直列に接続されることを特徴とするマルチディスプレイ装置。
【請求項９】
請求項８に記載のマルチディスプレイ装置において、
前記複数の画像表示装置が直列に接続される順番は、前記複数の画像表示装置のうち垂直方向に隣接する２つの画像表示装置に注目したとき、表示面上で垂直方向における上側の画像を表示する画像表示装置が下側の画像を表示する画像表示装置よりも、前記入力画像データを時間的に早く入力可能とするような順番とすることを特徴とするマルチディスプレイ装置。
【請求項１０】
請求項８に記載のマルチディスプレイ装置において、
前記複数の画像表示装置が直列に接続される順番は、前記複数の画像表示装置のうち水平方向に並ぶ複数の画像表示装置を１つのグループとし、該グループが垂直方向に複数のグループが存在する場合、垂直方向において隣接する２つグループに注目したとき、表示面上で垂直方向における上側の画像を表示するグループの画像表示装置が下側の画像を表示するグループのどの画像表示装置よりも、前記入力画像データを時間的に早く入力可能とするような順番とすることを特徴とするマルチディスプレイ装置。
【請求項１１】
画像データ入力端子を介して入力された入力画像データから部分画像データを生成して前記部分画像データに対応する部分画像を表示面に表示する複数の画像表示装置を有し、前記複数の画像表示装置が表示する前記部分画像によって一画面を構成するマルチディスプレイ装置であって、
前記マルチディスプレイ装置は、前記画像データ入力端子に前記入力画像データを並列に出力可能な複数の出力端子を有する画像データ分配装置をさらに有し、
前記複数の画像表示装置のそれぞれは、前記入力画像データから前記部分画像データを生成する画像データ処理部及び前記入力画像データを外部に出力可能な画像データ出力端子を有し、
前記複数の画像表示装置は複数のグループに分割され、
前記複数の画像表示装置のうち同一のグループに属する複数の画像表示装置は、それぞれの前記画像データ入力端子及び前記画像データ出力端子を用いて直列に接続され、
前記複数の画像表示装置のうち前記複数のグループのそれぞれ先頭の画像表示装置における前記画像データ入力端子が前記画像データ分配装置の複数の出力端子のうちいずれかに接続されることを特徴とするマルチディスプレイ装置。
【請求項１２】
請求項１〜１１のいずれかに記載のマルチディスプレイ装置において、
前記画像表示装置は、プロジェクタであることを特徴とするマルチディスプレイ装置。
【請求項１３】
マルチディスプレイ装置を構成する複数の複数の画像表示装置のそれぞれとの間で通信が可能な通信端子と、
前記複数の画像表示装置のいずれかを選択可能な画像表示装置選択部と、
前記画像表示装置選択部が選択する画像表示装置に前記通信端子を介して前記切出パラメータ及び前記画像表示装置に対する制御コマンドを送信する制御部と、
を有することを特徴とするマルチディスプレイ装置における画像表示装置制御ユニット。
【発明の詳細な説明】
【技術分野】
【０００１】
本発明は、マルチディスプレイ装置及びマルチディスプレイ装置における画像表示装置制御ユニットに関する。
【背景技術】
【０００２】
複数の画像表示装置（プロジェクタなど）によって表示される画像をタイリング表示して、高輝度、高解像度の大画面を形成するマルチディスプレイ装置が知られている。
図１９は４台のプロジェクタＰＪ１〜ＰＪ４を縦方向に２台、横方向に２台（２×２）配置してスクリーンＳＣＲにタイリング表示するマルチディスプレイ装置の一例を示す図である。図１９（ａ）は、それぞれのプロジェクタＰＪ１〜ＰＪ４によって投写される画像に重複領域を設けないでタイリング表示を行う例、図１９（ｂ）は、それぞれのプロジェクタＰＪ１〜ＰＪ４によって投写される画像に、表示面上における各画像間で継ぎ目が生じないように重複領域を設けてタイリング表示を行う例が示されている。
【０００３】
従来、このようなマルチディスプレイ装置を構築する際、複数のプロジェクタのそれぞれに画像データを適切に入力するために、それぞれのプロジェクタＰＪ１〜ＰＪ４が表示すべき部分画像データを生成して出力するスプリッタやスキャンコンバータなど高価な専用に作成される装置を用いるのが一般的であった。
【０００４】
たとえば、特許文献１に示された「マルチディスプレイ装置」は、専用の映像信号駆動回路（データライン駆動回路及びゲートライン駆動回路）を複数の液晶表示ユニットに設け、この専用の映像信号駆動回路によって、マルチディスプレイ装置に供給される画像データの各ドットに対応する液晶表示ユニットの画素に対して、同時に画像データを書き込むように構成している。
【０００５】
【特許文献１】特開平９−９８３５６号公報
【発明の開示】
【発明が解決しようとする課題】
【０００６】
前述した特許文献１に開示された技術に用いられる映像信号駆動回路は、当該マルチディスプレイに専用に作成されたものである。すなわち、特許文献１に開示された技術に用いられる映像信号駆動回路は、当該マルチディスプレイ装置を構成する画像表示装置の台数や画像表示装置の構成の仕方に適合するように作成されたものである。このため、画像表示装置の台数や構成形態の変更に柔軟に対応できるものではなく、画像表示装置の台数や構成の仕方に変更があった場合には、再度、変更後のマルチディスプレイ装置に適応した映像信号駆動回路を作成する必要があった。
【０００７】
本発明は、汎用の画像表示装置が有する機能を活用することで、画像表示装置の台数やその構成形態の変更に柔軟に対応することができるマルチディスプレイ装置及びマルチディスプレイ装置における画像表示装置制御ユニットを提供することを目的とする。
【課題を解決するための手段】
【０００８】
（１）本発明のマルチディスプレイ装置は、画像データ入力端子を介して入力された入力画像データから部分画像データを生成して前記部分画像データに対応する部分画像を表示面に表示する複数の画像表示装置を有し、前記複数の画像表示装置が表示する前記部分画像によって一画面を構成するマルチディスプレイ装置であって、前記マルチディスプレイ装置は、前記画像データ入力端子に前記入力画像データを並列に出力可能な複数の出力端子を有する画像データ分配装置をさらに有し、前記複数の画像表示装置のそれぞれは、前記入力画像データから前記部分画像データを生成する画像データ処理部を有し、かつ、それぞれの前記画像データ入力端子が前記画像データ分配装置の複数の出力端子のうちいずれかに接続、すなわち、前記画像データ分配装置の複数の出力端子に並列に接続されることを特徴とする。
【０００９】
このように、画像データを分配出力可能な画像データ分配装置を用い、かつそれぞれの画像表示装置においては入力された画像データから自身が表示すべき部分画像データを生成する画像データ処理部を有することで、マルチディスプレイ装置を構成する画像表示装置の台数やその構成形態の変更に柔軟に対応することができる。これにより、マルチディスプレイ装置の構成の自由度が極めて高いものとなる。
【００１０】
また、本発明のマルチディスプレイ装置では、画像データの圧縮（符号化）・伸張（復号化）処理を伴わないため、入力画像データを入力してから表示までのタイムラグがほとんどないことも利点の一つである。
また、前記画像データ分配装置は、スプリッタやスキャンコンバータといった専用に作成される装置に比べて安価であるのが一般的であるので、低コストにマルチディスプレイ装置を構築することができるといった効果もある。
【００１１】
（２）前記（１）に記載のマルチディスプレイ装置においては、前記画像データ処理部は、前記入力画像データにおける前記部分画像データの範囲を設定するための切出パラメータを用いて前記入力画像データから前記部分画像データを切り出すことが好ましい。
このように、それぞれの画像表示装置では、部分画像データの範囲を設定するための切出パラメータを用いて前記入力画像データから前記部分画像データを切り出すことにより、入力された画像データから自身が表示すべき部分画像データを適切に切り出すことができる。
【００１２】
（３）前記（２）に記載のマルチディスプレイ装置においては、前記切出パラメータは、前記入力画像データにおける前記部分画像データの範囲の始点位置に関するパラメータ及び拡大率に関するパラメータであることが好ましい。
【００１３】
このように、入力画像データにおける部分画像データの範囲の始点位置に関するパラメータ及び拡大率に関するパラメータを用いることによって、部分画像データの範囲を適切に設定することができる。なお、始点位置に関するパラメータは、具体的には、切出す矩形領域（部分画像データ）の左上部を指定するための座標（始点座標）として設定することができる。また、拡大率は、切出された部分画像データの拡大範囲を定めるものであり、入力画像データの水平方向の解像度と切出す矩形領域の水平方向の解像度の比、入力画像データの垂直方向の解像度と切出す矩形領域の垂直方向の解像度の比によって定められる。このような始点座標と拡大率とによって部分画像データの範囲の終点座標を容易に求めることができる。
【００１４】
（４）前記（２）に記載のマルチディスプレイ装置においては、前記切出パラメータは、前記入力画像データにおける前記部分画像データの範囲の始点位置に関するパラメータ及び終点位置に関するパラメータであることも好ましい。
このように、部分画像データの範囲の始点位置に関するパラメータ及び終点位置に関するパラメータを用いることによっても部分画像データの範囲を適切かつ容易に設定することができる。
【００１５】
（５）前記（２）に記載のマルチディスプレイ装置においては、前記切出パラメータは、前記入力画像データにおける前記部分画像データの範囲の始点位置に関するパラメータ、前記始点位置からの水平方向の距離に関するパラメータ及び前記始点位置からの垂直方向の距離に関するパラメータであることもまた好ましい。
【００１６】
このように、部分画像データの範囲の始点位置に関するパラメータ、前記始点位置からの水平方向の距離に関するパラメータ及び前記始点位置からの垂直方向の距離に関するパラメータを用いることによっても部分画像データの範囲を適切かつ容易に設定することができる。なお、前記始点位置からの水平方向の距離及び垂直方向の距離は、水平方向及び垂直方向の解像度（画素数）で表すことができる。
【００１７】
（６）前記（２）〜（５）のいずれかに記載のマルチディスプレイ装置においては、前記複数の画像表示装置のそれぞれに前記切出パラメータを送信する画像表示装置制御ユニットをさらに有することが好ましい。
このような画像表示装置制御ユニットを設けることにより、それぞれの画像表示装置が表示すべき部分画像データの範囲を設定するための切出パラメータをそれぞれの画像表示装置に設定することができる。これによって、ユーザがリモートコントローラなどを用いてそれぞれの画像表示装置に前記した切出パラメータの設定を行うといった煩わしい操作を行わずに済み、使い勝手のよいマルチディスプレイ装置を実現することができる。
【００１８】
（７）前記（６）に記載のマルチディスプレイ装置においては、前記画像表示装置制御ユニットは、前記複数の画像表示装置のそれぞれとの間で通信が可能な通信端子と、前記複数の画像表示装置のいずれかを選択可能な画像表示装置選択部と、前記画像表示装置選択部が選択する画像表示装置に前記通信端子を介して前記切出パラメータ及び前記画像表示装置に対する制御コマンドを送信する制御部とを有することが好ましい。
【００１９】
画像表示装置制御ユニットをこのような構成とすることによって、それぞれの画像表示装置に対して、自身が表示すべき部分画像データの範囲を設定するためのパラメータを確実に与えることができる。
【００２０】
（８）本発明のマルチディスプレイ装置は、画像データ入力端子を介して入力された入力画像データから部分画像データを生成して前記部分画像データに対応する部分画像を表示面に表示する複数の画像表示装置を有し、前記複数の画像表示装置が表示する前記部分画像によって一画面を構成するマルチディスプレイ装置であって、前記複数の画像表示装置のそれぞれは、前記入力画像データから前記部分画像データを生成する画像データ処理部及び前記入力画像データを外部に出力可能な画像データ出力端子を有し、かつ、それぞれの前記画像データ入力端子及び前記画像データ出力端子を用いて直列に接続されることを特徴とする。
【００２１】
この（８）に記載のマルチディスプレイ装置は、マルチディスプレイ装置を構成するそれぞれの画像表示装置が、入力された画像データから自身が表示すべき部分画像データを生成する機能に加えて、入力された画像データをそのままの形式で外部に出力可能な画像データ出力端子を備えていることによって実現可能となる。
すなわち、それぞれの画像表示装置の画像データ入力端子と画像データ出力端子を利用して、マルチディスプレイ装置を構成する複数の画像表示装置を前述したような直列接続を行うことで、それぞれの画像表示装置に画像データ出力装置からの画像データを与えることができる。これによって、前記（１）と同様に、それぞれの画像表示装置では、入力された画像データから自身が表示すべき部分画像データを生成することができ、（１）と同様の効果が得られる。
【００２２】
また、この（８）に示すマルチディスプレイ装置においては、画像データ分配装置を必要とせず、また必要な接続ケーブルの本数を減らすことができるなど、マルチディスプレイ装置をより一層簡略化することができる。なお、この（８）に記載のマルチディスプレイ装置においても、（２）〜（７）に記載のマルチディスプレイ装置の特徴を有することが好ましい。
【００２３】
（９）前記（８）に記載のマルチディスプレイ装置においては、前記複数の画像表示装置が直列に接続される順番は、前記複数の画像表示装置のうち垂直方向に隣接する２つの画像表示装置に注目したとき、表示面上で垂直方向における上側の画像を表示する画像表示装置が下側の画像を表示する画像表示装置よりも、前記入力画像データを時間的に早く入力可能とするような順番とすることが好ましい。
これにより、垂直方向に隣接する２つの画像表示装置について注目した場合、入力画像データの垂直走査方向の書き込みの順番が表示面上における上側の画像と下側の画像とで逆転することがなくなり、かつ、多様な接続形態をとることができる。
【００２４】
（１０）前記（８）に記載のマルチディスプレイ装置においては、前記複数の画像表示装置が直列に接続される順番は、前記複数の画像表示装置のうち水平方向に並ぶ複数の画像表示装置を１つのグループとし、該グループが垂直方向に複数のグループが存在する場合、垂直方向において隣接する２つグループに注目したとき、表示面上で垂直方向における上側の画像を表示するグループの画像表示装置が下側の画像を表示するグループのどの画像表示装置よりも、前記入力画像データを時間的に早く入力可能とするような順番とすることが好ましい。
これは、複数の画像表示装置の走査線への入力画像データの書き込み順番にほぼ従った順番で複数の画像表示装置を直列接続するものであり、これにより、特に動画などにおいて、入力画像データの本来の走査順序により近い状態で表示することができる。
【００２５】
（１１）本発明のマルチディスプレイ装置は、画像データ入力端子を介して入力された入力画像データから部分画像データを生成して前記部分画像データに対応する部分画像を表示面に表示する複数の画像表示装置を有し、前記複数の画像表示装置が表示する前記部分画像によって一画面を構成するマルチディスプレイ装置であって、前記マルチディスプレイ装置は、前記画像データ入力端子に前記入力画像データを並列に出力可能な複数の出力端子を有する画像データ分配装置をさらに有し、前記複数の画像表示装置のそれぞれは、前記入力画像データから前記部分画像データを生成する画像データ処理部及び前記入力画像データを外部に出力可能な画像データ出力端子を有し、前記複数の画像表示装置は複数のグループに分割され、前記複数の画像表示装置のうち同一のグループに属する複数の画像表示装置は、それぞれの前記画像データ入力端子及び前記画像データ出力端子を用いて直列に接続され、前記複数の画像表示装置のうち前記複数のグループのそれぞれ先頭の画像表示装置における前記画像データ入力端子が前記画像データ分配装置の複数の出力端子のうちいずれかに接続、すなわち、前記画像データ分配装置の複数の出力端子に並列に接続されることを特徴とする。
【００２６】
これは、（１）に記載のマルチディスプレイ装置に用いられれた画像データ分配装置と前記（８）に記載のマルチディスプレイ装置に用いられた複数の画像表示装置を直列接続することを組み合わせたものである。マルチディスプレイ装置をこのような構成とすることで、画像表示装置の台数が多い場合でも、直列接続された複数の画像表示装置の終端側の画像表示装置に与えられる画像データの劣化や位相遅れなどを抑えることができる。
【００２７】
また、マルチディスプレイ装置を構成する画像表示装置の台数の増減や画像表示装置の構成形態の変更などに対して、より柔軟に対応することができる。なお、この（１１）に記載のマルチディスプレイ装置においても、（２）〜（７）、（９）、（１０）に記載のマルチディスプレイ装置の特徴を有することが好ましい。
【００２８】
（１２）前記（１）〜（１１）のいずれかに記載のマルチディスプレイ装置においては、前記画像表示装置がプロジェクタであることが好ましい。
このように、画像表示装置がプロジェクタであることにより、本発明のマルチディスプレイ装置は、複数のプロジェクタから表示される部分画像をタイリング表示して一画面を構成するマルチディスプレイ装置として構成することができる。
【００２９】
（１３）本発明のマルチディスプレイ装置における画像表示装置制御ユニットは、マルチディスプレイ装置を構成する複数の複数の画像表示装置のそれぞれとの間で通信が可能な通信端子と、前記複数の画像表示装置のいずれかを選択可能な画像表示装置選択部と、前記画像表示装置選択部が選択する画像表示装置に前記通信端子を介して前記切出パラメータ及び前記画像表示装置に対する制御コマンドを送信する制御部とを有することを特徴とする。
【００３０】
このような画像表示装置制御ユニットを用いることによって、マルチディスプレイ装置を構成するそれぞれの画像表示装置に対して、それぞれの画像表示装置が表示すべき部分画像データの範囲を設定するための切出パラメータを確実に与えることができる。これにより、ユーザがリモートコントローラなどを用いてそれぞれの画像表示装置に前記した切出パラメータの設定を行うといった煩わしい操作を行わずに済み、使い勝手のよいマルチディスプレイ装置を実現することができる。
【発明を実施するための最良の形態】
【００３１】
以下、本発明の実施の形態について説明する。なお、本発明の各実施形態に係るマルチディスプレイ装置は、画像表示装置としてプロジェクタを用い、複数のプロジェクタによって表示される画像をタイリング表示するマルチディスプレイ装置であるとする。また、各実施形態に係るマルチディスプレイ装置においては、それぞれのプロジェクタからの投写方向は背面投写であり、背面投写用スクリーン（図示せず）にそれぞれの画像を表示するものとする。
【００３２】
[実施形態１]
図１は実施形態１に係るマルチディスプレイ装置の構成を示す図である。図１に示すように、実施形態１に係るマルチディスプレイ装置は、縦方向２台、横方向２台の配置とされたプロジェクタＰＪ１〜ＰＪ４と、パーソナルコンピュータ（ＰＣという）などの画像データ出力装置１と、画像データ出力装置１からの画像データ（アナログのＲＧＢ信号とし同期信号を含む）を４台のプロジェクタＰＪ１〜ＰＪ４に分配する画像データ分配装置２とを有している。
【００３３】
画像データ分配装置２は、画像データ出力装置１などから与えられる画像データを入力する入力端子Ｄｉｎと、入力端子Ｄｉｎに入力された画像データ（以下、入力画像データと呼ぶことにする）を並列に出力するための複数の出力端子Ｄｏｕｔを有し、入力端子Ｄｉｎは、接続ケーブルＣ０によって画像データ出力装置１の画像データ出力端子Ｄｏｕｔ（図示せず）に接続される。
【００３４】
また、画像データ分配装置２の各出力端子ＤｏｕｔにはプロジェクタＰＪ１〜ＰＪ４のそれぞれの画像データ入力端子Ｄｉｎ（図２参照）がそれぞれ接続ケーブルＣ１〜Ｃ４によって接続される。なお、図１中の各接続ケーブルＣ０〜Ｃ４に沿って示されている矢印は、入力画像データの流れ方向を示すものである。
【００３５】
画像データ分配装置２は、画像データ出力装置１から与えられた入力画像データを、信号レベルを保持するためのビデオバッファアンプを介して各出力端子Ｄｏｕｔに出力するものであり、市販されている安価な汎用の画像データ分配装置を使用することができる。
【００３６】
なお、画像データ分配装置２の各出力端子Ｄｏｕｔから出力される入力画像データは、入力端子Ｄｉｎに入力された入力画像データに対して非常にわずかながら遅延が生じるが、画像データ分配装置２の各出力端子Ｄｏｕｔ間における位相のずれは無く同期して、それぞれの接続ケーブルＣ１〜Ｃ４を介してそれぞれのプロジェクタＰＪ１〜ＰＪ４に出力される。
また、プロジェクタＰＪ１〜ＰＪ４は，マルチディスプレイ装置としての画面サイズ、スクリーンまでの投写距離などに応じて製作されたラックなどに図１に示すような配置で固定されているものとする。
【００３７】
なお、前述したように、プロジェクタＰＪ１〜ＰＪ４の投写方向は背面投写であり、背面投写用スクリーン（図示せず）にそれぞれの画像を表示するとしている。したがって、プロジェクタＰＪ１は背面投写用スクリーンの視聴者側から見た左上の部分画像を生成・表示し、プロジェクタＰＪ２は背面投写用スクリーンの視聴者側から見た右上の部分画像を生成・表示し、プロジェクタＰＪ３は背面投写用スクリーンの視聴者側から見た左下の部分画像を生成・表示し、プロジェクタＰＪ４は背面投写用スクリーンの視聴者側から見た右下の部分画像を生成・表示する。
【００３８】
図２はプロジェクタＰＪ１〜ＰＪ４に設けられている入出力端子の一例を示す図である。なお、図２ではプロジェクタＰＪ１を代表して示すが、他のプロジェクタＰＪ２〜ＰＪ４も同様の構成を有している。
【００３９】
図２に示すように、プロジェクタＰＪ１には、外部機器（たとえば、画像データ出力装置１など）からの入力画像データを入力可能な画像データ入力端子Ｄｉｎが設けられている。なお、図２では「コンピュータ１・コンポーネントビデオ」、「コンピュータ２・コンポーネントビデオ」というように２つの画像データ入力端子Ｄｉｎが設けられている。そのほか、外部機器との通信が可能なＵＳＢ端子やＲＳ−２３２Ｃ端子などが設けられ、さらに、モニタ出力端子Ｍｏｕｔなどが設けられているものもある。
このモニタ出力端子Ｍｏｕｔは、各画像データ入力端子Ｄｉｎに入力された画像データをそのまま外部に出力可能な端子である。なお、実施形態１に係るマルチディスプレイ装置においては、このモニタ出力端子Ｍｏｕｔは特に必要とはしない。
【００４０】
図３は実施形態１に係るマルチディスプレイ装置を構成するプロジェクタの構成を示す図である。なお、図３ではプロジェクタＰＪ１の構成を代表して示すが、他のプロジェクタＰＪ２〜ＰＪ４も同様の構成を有している。また、図３に示すプロジェクタの構成は、後に説明する他の実施形態に係るマルチディスプレイ装置を構成するプロジェクタも共通である。
【００４１】
プロジェクタＰＪ１は、図３に示すように、画像データ入力端子Ｄｉｎ（図２参照）を介して入力画像データを入力する画像データ入力部３１、画像データ入力部３１に入力された入力画像データをモニタ出力端子Ｍｏｕｔ（図２参照）に出力可能とする画像データ出力部３２、ユーザなどによって行われる遠隔操作に対する遠隔操作信号を受信する遠隔操作信号受信部３３、ＵＳＢ端子やＲＳ−２３２Ｃ端子（図２参照）を介して他の機器との間での通信を可能とするシリアル通信部３４、各種の動作設定を行う動作設定部（動作設定情報記憶部３５ａを有している）３５、画像データ入力部３１に入力された入力画像データを動作設定部３５の動作設定情報記憶部３５ａに記憶された動作設定情報（後述する各種のパラメータなど）に基づいて、表示制御処理を行う表示制御部３６、光源３７、光源３７を駆動する光源駆動部３８、光源３７からの光を画像データに応じて変調する電気光学変調装置としての液晶変調装置３９、光源３７からの光を液晶変調装置３９に導くための光学系４０、液晶変調装置３９からの画像光を背面投写用スクリーン（図示せず）上に投写する投写光学系４１を有している。
【００４２】
表示制御部３６は、画像データ処理部３６１、同期制御部３６２、液晶変調装置駆動部３６３を有している。画像データ処理部３６１は、動作設定部３５の動作設定情報記憶部３５ａに設定された各種のパラメータを用いて自身が表示すべき部分画像データを生成する部分画像データ生成処理、ガンマ補正など適宜必要な画像データ補正処理など各種の画像データ処理を行う。なお、この画像データ処理部３６１には、画像データ処理を行う際の記憶領域としての画像データ記憶部３６１ａを有している。
【００４３】
画像データ処理部３６１が行う部分画像データ生成処理には、自身が表示すべき部分画像データの範囲を設定するためのパラメータを用いて、入力画像データから所定範囲の画像データを切出す画像データ切出処理と、切出された所定範囲の画像データの画面サイズを変換する画面サイズ変換処理が含まれる。この部分画像データ生成処理の具体例については後述する。
なお、自身が表示すべき部分画像データの範囲を設定するためのパラメータを以下では切出パラメータと呼ぶことにする。
【００４４】
プロジェクタＰＪ１〜ＰＪ４では、画像データ分配装置２から分配された入力画像データがそれぞれの画像データ入力端子Ｄｉｎを介して画像データ入力部３１に入力される。なお、画像データ入力部３１は、入力画像データのうちＲ・Ｇ・Ｂの各信号をビデオアンプで増幅し、各種の画像データ処理を施すためにＡ／Ｄ変換を行う機能を有している。このＡ／Ｄ変換された画像データは表示制御部３６の画像データ処理部３６１に与えられる。
【００４５】
画像データ処理部３６１では、Ａ／Ｄ変換後のデジタルの入力画像データに対して、動作設定部３５の動作設定情報記憶部３５ａに設定された切出パラメータを用いて画像データの切出・拡大を行い、自身が表示すべき部分画像データを生成する部分画像データ生成処理、さらにはガンマ補正など適宜必要な画像データ補正処理などを行う。
【００４６】
そして、適切な補正がなされた部分画像データから液晶変調装置駆動部３６３により液晶変調装置３９を駆動するための適切な信号を生成し、液晶変調装置３９により変調された光源３７からの画像光が投写光学系４１によって、背面投写用スクリーン上に部分画像として表示される。
【００４７】
なお、プロジェクタＰＪ１〜ＰＪ４で生成されたそれぞれの部分画像データに対応する部分画像がマルチディスプレイ装置の一画面を構成するように適切にプロジェクタＰＪ１〜ＰＪ４の設置と調整がなされており、また、それに応じた部分画像データ生成処理がそれぞれのプロジェクタＰＪ１〜ＰＪ４で行われれば、高輝度・高解像度の大画面を有する一つのディスプレイとなる。
【００４８】
また、プロジェクタＰＪ１〜ＰＪ４では、入力画像データが有する同期信号を基準に各種画像データ処理及び表示制御を行うので、画像データ分配装置２の各出力端子Ｄｏｕｔ間の位相差が無く、かつ、画像データ処理や表示制御などの負荷がプロジェクタＰＪ１〜ＰＪ４で均等であれば、実質的にフレームロックがかけられているのと等価になり、プロジェクタＰＪ１〜ＰＪ４での表示タイミングがばらつくことはない。
【００４９】
プロジェクタＰＪ１〜ＰＪ４の動作の基本的な流れは以上のとおりであるが、以下ではプロジェクタＰＪ１〜ＰＪ４の画像データ処理部３６１で行われる部分画像データ生成処理について説明する。
【００５０】
マルチディスプレイ装置が図１に示すように縦方向２台、横方向２台の合計４台のプロジェクタＰＪ１〜ＰＪ４で構成される場合において、まずは、プロジェクタＰＪ１〜ＰＪ４からの表示画像に重複領域を設けることなく表示する例について説明する。
【００５１】
図１に示すマルチディスプレイ装置の構成において、プロジェクタＰＪ１〜ＰＪ４は、図示しない背面投写用スクリーンに対してそれぞれの部分画像を表示する。前述したように、プロジェクタＰＪ１は背面投写用スクリーン上の視聴者側から見た左上の部分画像を生成・表示し、プロジェクタＰＪ２は背面投写用スクリーン上の視聴者側から見た右上の部分画像を生成・表示し、プロジェクタＰＪ３は背面投写用スクリーン上の視聴者側から見た左下の部分画像を生成・表示し、プロジェクタＰＪ４は背面投写用スクリーン上の視聴者側から見た右下の部分画像を生成・表示することとなる。
【００５２】
プロジェクタＰＪ１〜ＰＪ４には、自身が表示すべき部分画像データの範囲を設定するための切出パラメータとして、入力画像データにおける部分画像データの範囲の始点位置に関するパラメータと拡大率に関するパラメータが設定される。なお、始点位置に関するパラメータは、切出開始位置として、たとえば切出す矩形領域（部分画像データ）の左上部を指定するための座標Ｐ（始点座標Ｐという）が設定される。また、拡大率は、切出された部分画像データの拡大範囲を定めるもので、入力画像データの水平解像度をＷ、垂直解像度をＨ、切出す矩形領域の水平解像度をｗ、垂直解像度をｈとすると、拡大率Ｚは、
Ｚ＝Ｗ／ｗ＝Ｈ／ｈ                                    （１）
と表すことができる。なお、（１）式は部分画像データのアスペクト比が入力画像のアスペクト比と同一である場合である。
【００５３】
図４は部分画像データ生成処理及びこの部分画像データ生成処理に必要な切出パラメータについて説明する図である。図４（ａ）は表示面上で隣接する投写画像間で重複領域を設けない場合、図４（ｂ）は重複領域を設けた場合の部分画像データ生成処理に必要なパラメータについて説明する図である。
【００５４】
なお、図４ではプロジェクタＰＪ１の例について説明するが、他のプロジェクタＰＪ２１〜ＰＪ４についても同様に考えることができる。図４（ａ），（ｂ）のそれぞれ（ｉ）に示す画像データは画像データ分配装置２から与えられる入力画像データであり、これは、それぞれのプロジェクタＰＪ１〜ＰＪ４に対して共通に与えられる。
【００５５】
図４（ａ），（ｂ）において、プロジェクタＰＪ１では、始点座標Ｐ１として、Ｐ１（ｘｓ１，ｙｓ１）が設定され、また、拡大率Ｚ１として、Ｚ１＝Ｗ／ｗ＝Ｈ／ｈが設定される。この始点座標Ｐ１と拡大率Ｚ１が設定されることにより、自身が表示すべき部分画像データの終点座標Ｑ１（ｘｅ１，ｙｅ１）を求めることができ、それによって、部分画像データの範囲を設定することができる。
【００５６】
図４（ａ）の重複領域を設けない場合においては、拡大率は、この例の場合、Ｚ１＝Ｗ／ｗ＝Ｈ／ｈ＝２．０であり、図４（ｂ）の重複領域を設ける場合における拡大率Ｚ１は、Ｚ１＝Ｗ／ｗ＝Ｈ／ｈ＝１．７５であるとする。
【００５７】
図５は重複領域を設けずにタイリング表示する際のプロジェクタＰＪ１〜ＰＪ４におけるそれぞれの部分画像データ生成処理の例を示す図である。
ここでは、プロジェクタＰＪ１〜ＰＪ４における拡大率Ｚ１〜Ｚ４は、Ｚ１＝Ｚ２＝Ｚ３＝Ｚ４＝２．０と設定される。ここで、プロジェクタＰＪ１における始点座標Ｐ１は、図５（ａ）に示すように、Ｐ１＝（０，０）とする。したがって、その終点座標Ｑ１は、Ｑ１＝（Ｗ/２，Ｈ/２）と設定される。また、プロジェクタＰＪ２における始点座標Ｐ２は、図５の（ｂ）に示すように、Ｐ２＝（Ｗ/２，０）と設定されるので、その終点座標Ｑ２はＱ２＝（Ｗ，Ｈ/２）と設定される。また、プロジェクタＰＪ３における始点座標Ｐ３は、図５の（ｃ）に示すように、Ｐ３＝（０，Ｈ/２）と設定されるので、その終点座標Ｑ３はＱ３＝（Ｗ/２，Ｈ）と設定される。また、プロジェクタＰＪ４における始点座標Ｐ４は、図５の（ｄ）に示すように、Ｐ４＝（Ｗ/２，Ｈ/２）と設定されるので、その終点座標Ｑ４はＱ４＝（Ｗ，Ｈ）と設定される。
【００５８】
このように、プロジェクタＰＪ１〜ＰＪ４に対して始点位置と拡大率をそれぞれ与えることにより、プロジェクタＰＪ１〜ＰＪ４では自身が表示すべき部分画像データの範囲を切出範囲として設定することができる。そして、プロジェクタＰＪ１〜ＰＪ４では設定された切出範囲に基づいて、入力画像データから設定された切出範囲を切出し、切出された入力画像データに対して、プロジェクタＰＪ１〜ＰＪ４のそれぞれの拡大率（この例では、Ｚ１＝Ｚ２＝Ｚ３＝Ｚ４＝２．０）で拡大を行うことにより、プロジェクタＰＪ１〜ＰＪ４で表示すべきそれぞれの部分画像データ（図５（ｅ）〜（ｈ）参照）が生成される。
【００５９】
図６は、図１９（ｂ）のように重複領域を設けてタイリング表示する際のプロジェクタＰＪ１〜ＰＪ４における部分画像データ生成処理の例を示す図である。ここでは、プロジェクタＰＪ１〜ＰＪ４におけるそれぞれの拡大率は、たとえば、Ｚ１＝Ｚ２＝Ｚ３＝Ｚ４＝１．７５と設定されている。この場合、プロジェクタＰＪ１〜ＰＪ４に対するそれぞれの始点座標Ｐ１〜Ｐ４は、図５と同様の手法で容易に求めることができる。
【００６０】
すなわち、プロジェクタＰＪ１における始点座標Ｐ１は、図６の（ａ）に示すように、Ｐ１＝（０，０）と設定されるので、その終点座標Ｑ１はＱ１＝（Ｗ/1.75，Ｈ/1.75）に設定され、また、プロジェクタＰＪ２における始点座標Ｐ２は、図６の（ｂ）に示すように、Ｐ２＝（Ｗ−Ｗ/1.75，０）と設定されるので、その終点座標Ｑ２はＱ２＝（Ｗ，Ｈ/1.75）に設定される。また、プロジェクタＰＪ３における始点座標Ｐ３は、図６の（ｃ）に示すように、Ｐ３＝（０，Ｈ−Ｈ/1.75）と設定されるので、その終点座標Ｑ３はＱ２＝（Ｗ/1.75，Ｈ）に設定される。また、プロジェクタＰＪ４における始点座標Ｐ４は、図６の（ｄ）に示すように、Ｐ４＝（Ｗ−Ｗ/1.75，Ｈ−Ｈ/1.75）と設定されるので、その終点座標Ｑ４はＱ２＝（Ｗ，Ｈ）に設定される。
【００６１】
このように、プロジェクタＰＪ１〜ＰＪ４に対して始点位置と拡大率をそれぞれ与えることにより、プロジェクタＰＪ１〜ＰＪ４では自身が表示すべき部分画像データの範囲を切出範囲として設定することができる。そして、プロジェクタＰＪ１〜ＰＪ４では設定された切出範囲に基づいて、入力画像データから設定された切出範囲を切出し、切出された入力画像データに対して、プロジェクタＰＪ１〜ＰＪ４のそれぞれの拡大率（この例では、Ｚ１＝Ｚ２＝Ｚ３＝Ｚ４＝１．７５）で拡大を行うことにより、プロジェクタＰＪ１〜ＰＪ４で表示すべきそれぞれの部分画像データ（図６（ｅ）〜（ｈ）参照）が生成される。
【００６２】
前述したような切出処理を行うには、入力画像データを図２に示す画像データ記憶部３６１ａにバッファリングする必要がある。この画像データ記憶部３６１ａとしては、１画面分の入力画像データを全て記憶するフレームバッファを用いてもよいが、単純な切出処理を行う場合には、水平方向の１ライン分の走査データを記憶するラインバッファがあれば十分である。なお、１画面分の画像データを全て記憶可能な領域か、もしくは複数ライン分の走査データを記憶可能な領域があれば、より高度なスケーリング処理（たとえばバイ・リニア処理，バイ・キュービック処理）を導入することも可能である。
【００６３】
なお、図１９（ｂ）、図６のように重複領域を設けて投写する場合はエッジブレンディング処理を行うことが望ましい。ここで、エッジブレンディング処理について図７により簡単に説明する。
【００６４】
図７（ａ）はエッジブレンディング処理を行わない場合である。図７（ａ）に示すように、エッジブレンディング処理を行わないと、たとえば、図１のようなマルチディスプレイ装置において、重複する画像を表示する２台のプロジェクタ（縦方向の２台のプロジェクタＰＪ１，ＰＪ３とする）による表示画像のスクリーン上での重複領域における輝度値が他の領域に比べて増大する。
【００６５】
一方、図７（ｂ）は、投写光の光量の調節が可能な遮光板７０を、プロジェクタとスクリーンとの間の光路上の適切な位置に配置してエッジブレンディング処理を行った場合である。図７（ｂ）に示すように、エッジブレンディング処理を行うと、縦方向の２台のプロジェクタＰＪ１，ＰＪ３による表示画像のスクリーン上での重複領域における輝度値が他の領域に比べて増大するのを防止することができる。
なお、このようなエッジブレンディング処理は、画像データ処理により行うことも可能である。
【００６６】
画像データ処理によるエッジブレンディング処理に関しては、プロジェクタＰＪ１〜ＰＪ４側の画像データ処理部３６１に重複領域に対応する画像データの輝度値を適切に制御する処理が実装されていれば、それを用いることで実現できる。
【００６７】
以上説明したように実施形態１に係るマルチディスプレイ装置によれば、ＰＣなどの画像データ出力装置１からの画像データを画像データ分配装置２によってマルチディスプレイ装置を構成するプロジェクタＰＪ１〜ＰＪ４に分配し、プロジェクタＰＪ１〜ＰＪ４では、画像データ分配装置２で分配された画像データから自身が表示すべき所定範囲の画像データを切出して拡大するなどの部分画画像データ生成処理を行って自身が表示すべき部分画像データとして生成するようにしている。
【００６８】
このように、実施形態１に係るマルチディスプレイ装置は、画像データを並列に分配出力可能な画像データ分配装置１を用い、かつプロジェクタＰＪ１〜ＰＪ４においては入力された画像データから自身が表示すべき部分画像データを生成する画像データ処理部３６１を有することで、マルチディスプレイ装置を構成する画像表示装置の台数やその構成形態の変更に柔軟に対応することができる。
【００６９】
なお、画像データ分配装置１の出力端子数がより多いものを用いたり、あるいはそのような画像データ分配装置１を複数組み合わせて用いることも可能である。これによれば、プロジェクタの台数の追加や構成形態の変更などにより柔軟に対応することができ、マルチディスプレイ装置の構成の自由度をより高いものとすることができる。
【００７０】
また、実施形態１に係るマルチディスプレイ装置では、スプリッタやスキャンコンバータと言ったマルチディスプレイ用の高価な専用装置を用いることなく、安価な汎用の画像データ分配装置２と、個々のプロジェクタＰＪ１〜ＰＪ４側で画像データの切出・拡大などの処理が可能な画像データ処理部３６１を設けることによって実現可能であるため、簡便かつ低コストに、高輝度、高解像度の大画面を形成可能なマルチディスプレイ装置を構築することができる。
【００７１】
また、本発明のマルチディスプレイ装置では、画像データの圧縮（符号化）・伸張（復号化）処理を伴わないため、専用装置を使用したときと同様に、入力画像データを入力してから表示までのタイムラグがほとんどない。したがって、本発明のマルチディスプレイ装置をプレゼンテーション用として用いるような場合にも軽快なレスポンスでプレゼンテーションを行うことができる。
【００７２】
[実施形態２]
実施形態１に係るマルチディスプレイ装置においては、部分画像データのアスペクト比が入力画像データと同じとした場合であったが、実施形態２に係るマルチディスプレイ装置においては、部分画像データのアスペクト比が入力画像データと異なる場合である。
実施形態２においては、プロジェクタＰＪ１〜ＰＪ４における水平方向の拡大率をＺｘ、垂直方向の拡大率をＺｙで表し、この場合、Ｚｘ＝１．６、Ｚｙ＝２．０と設定されているものとする。
【００７３】
図８は実施形態２に係るマルチディスプレイ装置において、入力画像データと異なったアスペクト比を有する部分画像データ生成処理の例について示す図である。
プロジェクタＰＪ１における始点座標Ｐ１は、図８（ａ）に示すように、Ｐ１＝（０，０）と設定されるので、その終点座標Ｑ１は、Ｑ１＝（Ｗ/1.6，Ｈ/２）と設定される。また、プロジェクタＰＪ２における始点座標Ｐ２は、図８の（ｂ）に示すように、Ｐ２＝（Ｗ−Ｗ/1.6，０）と設定されるので、その終点座標Ｑ２は（Ｗ，Ｈ/２）と設定される。また、プロジェクタＰＪ３における始点座標Ｐ３は、図８（ｃ）に示すように、Ｐ３＝（０，Ｈ/２）と設定されるので、その終点座標Ｑ３は（Ｗ−Ｗ/1.6，Ｈ）と設定される。また、プロジェクタＰＪ４における始点座標Ｐ４は、図８の（ｄ）に示すように、Ｐ４＝（Ｗ−Ｗ/1.6，Ｈ/2）と設定されるので、その終点座標Ｑ４は（Ｗ，Ｈ）と設定される。
【００７４】
このように、プロジェクタＰＪ１〜ＰＪ４に対して始点位置と拡大率をそれぞれ与えることにより、プロジェクタＰＪ１〜ＰＪ４では自身が表示すべき部分画像データの範囲を切出範囲として設定することができる。
【００７５】
そして、プロジェクタＰＪ１〜ＰＪ４では設定された切出範囲に基づいて、入力画像データから設定された切出範囲を切出し、切出された入力画像データに対して、プロジェクタＰＪ１〜ＰＪ４の水平方向及び垂直方向のそれぞれの拡大率Ｚｘ，Ｚｙ（この例では、Ｚｘ＝１．６、Ｚｙ＝２．０）で拡大を行うことにより、プロジェクタＰＪ１〜ＰＪ４で表示すべきそれぞれの部分画像データ（図８（ｅ）〜（ｈ）参照）が生成される。
なお、水平方向及び垂直方向のそれぞれの拡大率Ｚｘ，Ｚｙの値は、前述の例に限られるものではなく、所定の範囲内で任意に設定することができることは勿論である。
【００７６】
[実施形態３]
実施形態３に係るマルチディスプレイ装置においては、切出パラメータとして、入力画像データにおける部分画像データの範囲の始点位置に関するパラメータ（始点座標Ｐ１〜Ｐ４）と部分画像データの終点位置に関するパラメータ（終点座標Ｑ１〜Ｑ４）がそれぞれのプロジェクタＰＪ１〜ＰＪ４に設定される。
【００７７】
図９は実施形態３に係るマルチディスプレイ装置において、重複領域を設けずにタイリング表示する際のプロジェクタＰＪ１〜ＰＪ４におけるそれぞれの部分画像データ生成処理の例を示す図である。図９の（ａ）〜（ｄ）に示すように、プロジェクタＰＪ１における部分画像データの範囲を設定するための切出パラメータとしては、始点座標Ｐ１（０．０）と終点座標Ｑ１（Ｗ/２，Ｈ/２）が設定され、プロジェクタＰＪ２における部分画像データの範囲を設定するための切出パラメータとしては、始点座標Ｐ２（Ｗ/２，０）と終点座標Ｑ２（Ｗ，Ｈ/２）が設定される。
【００７８】
また、プロジェクタＰＪ３における部分画像データの範囲を設定するための切出パラメータとしては、始点座標Ｐ３（０．Ｈ/２）と終点座標Ｑ３（Ｗ/２，Ｈ）が設定され、プロジェクタＰＪ４における部分画像データの範囲を設定するための切出パラメータとしては、始点座標Ｐ４（Ｗ/２，Ｈ/２）と終点座標Ｑ４（Ｗ，Ｈ）が設定される。
【００７９】
このように、プロジェクタＰＪ１〜ＰＪ４に対して始点座標と終点座標がそれぞれ設定されることにより、プロジェクタＰＪ１〜ＰＪ４では自身が表示すべき部分画像データの範囲を切出範囲として設定することができる。そして、プロジェクタＰＪ１〜ＰＪ４では設定された切出範囲に基づいて、入力画像データから設定された切出範囲を切出し、切出された入力画像データに対して、所定の拡大率（この場合、Ｚ１＝Ｚ２＝Ｚ３＝Ｚ４＝２．０）で拡大を行うことにより、プロジェクタＰＪ１〜ＰＪ４で表示すべきそれぞれの部分画像データ（図９（ｅ）〜（ｈ）参照）が生成される。
【００８０】
なお、図９ではプロジェクタＰＪ１〜ＰＪ４からのそれぞれの表示画像に重複領域を設けない場合について説明したが、重複領域を設けて表示する場合にも、プロジェクタＰＪ１〜ＰＪ４のそれぞれの部分画像データの範囲を設定するための切出パラメータとして、始点座標と終点座標とを設定することで、プロジェクタＰＪ１〜ＰＪ４で表示すべきそれぞれの部分画像データを生成することができる。
【００８１】
[実施形態４]
実施形態４に係るマルチディスプレイ装置においては、切出パラメータとして、入力画像データにおける部分画像データの範囲の始点位置に関するパラメータ（始点座標）、始点位置からの水平方向の距離に関するパラメータ及び前記始点位置からの垂直方向の距離に関するパラメータがそれぞれのプロジェクタＰＪ１〜ＰＪ４に設定される。
【００８２】
図１０は実施形態４に係るマルチディスプレイ装置において、重複領域を設けずにタイリング表示する際のプロジェクタＰＪ１〜ＰＪ４における部分画像データ生成処理の例を示す図である。
【００８３】
図１０の（ａ）〜（ｄ）に示すように、プロジェクタＰＪ１における部分画像データの範囲を設定するための切出パラメータとしては、始点座標Ｐ１（０，０）と水平方距離としての水平解像度（水平画素数）ｗと垂直方向距離としての垂直解像度（垂直画素数）ｈが設定され、プロジェクタＰＪ２における部分画像データの範囲を設定するための切出パラメータとしては、始点座標Ｐ２（Ｗ/２，０）と水平方距離としての水平解像度（水平画素数）ｗと垂直方向距離としての垂直解像度（垂直画素数）ｈが設定される。
【００８４】
また、プロジェクタＰＪ３における部分画像データの範囲を設定するための切出パラメータとしては、始点座標Ｐ３（０，Ｈ/２）と水平方距離としての水平解像度（水平画素数）ｗと垂直方向距離としての垂直解像度（垂直画素数）ｈが設定され、プロジェクタＰＪ４における部分画像データの範囲を設定するための切出パラメータとしては、始点座標Ｐ２（Ｗ/２，Ｈ/２）と水平方距離としての水平解像度（水平画素数）ｗと垂直方向距離としての垂直解像度（垂直画素数）ｈが設定される。
【００８５】
このようにして、プロジェクタＰＪ１〜ＰＪ４に対してそれぞれの部分画像データの範囲の始点位置に関するパラメータ（始点座標）、始点位置からの水平方向の距離に関するパラメータ及び前記始点位置からの垂直方向の距離に関するパラメータを与えることにより、プロジェクタＰＪ１〜ＰＪ４では自身が表示すべき部分画像データの範囲を切出範囲として設定することができる。
【００８６】
そして、プロジェクタＰＪ１〜ＰＪ４では設定された切出範囲に基づいて、入力画像データから設定された切出範囲を切出し、切出された入力画像データに対して、所定の拡大率（この場合、Ｚ１＝Ｚ２＝Ｚ３＝Ｚ４＝２．０）で拡大を行うことにより、プロジェクタＰＪ１〜ＰＪ４で表示すべきそれぞれの部分画像データ（図５（ｅ）〜（ｈ）参照）が生成される。
【００８７】
なお、図１０ではプロジェクタＰＪ１〜ＰＪ４からのそれぞれの表示画像に重複領域を設けない場合について説明したが、重複領域を設けて表示する場合にも、プロジェクタＰＪ１〜ＰＪ４のそれぞれの部分画像データの範囲を設定するための切出パラメータとして、始点座標と始点位置からの水平方向の距離に関するパラメータ及び前記始点位置からの垂直方向の距離に関するパラメータを設定することで、プロジェクタＰＪ１〜ＰＪ４で表示すべきそれぞれの部分画像データを生成することができる。
【００８８】
[実施形態５]
実施形態５に係るマルチディスプレイ装置では、ＰＣなどの画像データ出力装置１からの画像データを、画像データ分配装置２を用いてプロジェクタＰＪ１〜ＰＪ４に分配するような構成としたが、実施形態２に係るマルチディスプレイ装置では、画像データ分配装置２を用いずに、画像データ出力装置１からの画像データをプロジェクタＰＪ１〜ＰＪ４に与えることを可能とする。
【００８９】
図１１は実施形態５に係るマルチディスプレイ装置の構成を示す図である。図１１に示すように、実施形態５に係るマルチディスプレイ装置では、画像データ出力装置１にマルチディスプレイ装置を構成する複数のプロジェクタ（実施形態２においても、縦方向２台、横方向２台の合計４台のプロジェクタＰＪ１〜ＰＪ４とする）のうちの１台のプロジェクタ（プロジェクタＰＪ１とする）を接続し、このプロジェクタＰＪ１に、プロジェクタＰＪ２を接続し、続いて、プロジェクタＰＪ２にプロジェクタＰＪ３を接続するというように、マルチディスプレイ装置を構成する複数のプロジェクタＰＪ１〜ＰＪ４を直列接続した構成となっている。
【００９０】
ここで、マルチディスプレイ装置を構成する複数のプロジェクタは、図２に示したように、入力画像データを外部に出力可能な画像データ出力端子としての機能を有するモニタ出力端子Ｍｏｕｔを有しているものとする。そして、画像データ入力端子Ｄｉｎとモニタ出力端子Ｍｏｕｔとを利用して複数のプロジェクタＰＪ１〜ＰＪ４を直列接続する。
【００９１】
すなわち、図１１の例では、プロジェクタＰＪ１の画像データ入力端子Ｄｉｎと画像データ出力装置１の画像データ出力端子Ｄｏｕｔ（図示せず）とを接続ケーブルＣ０によって接続する。
【００９２】
そして、プロジェクタＰＪ１のモニタ出力端子ＭｏｕｔとプロジェクタＰＪ２の画像データ入力端子Ｄｉｎを接続ケーブルＣ１によって接続し、プロジェクタＰＪ２のモニタ出力端子ＭｏｕｔとプロジェクタＰＪ３の画像データ入力端子Ｄｉｎを接続ケーブルＣ２によって接続し、プロジェクタＰＪ３のモニタ出力端子ＭｏｕｔとプロジェクタＰＪ４の画像データ入力端子Ｄｉｎを接続ケーブルＣ３によって接続する。なお、図１１中の各接続ケーブルＣ０〜Ｃ３に沿って示されている矢印は、入力画像データの流れ方向を示すものである。
【００９３】
プロジェクタＰＪ１〜ＰＪ４に設けられたモニタ出力端子Ｍｏｕｔは、前述したように、自身の画像データ入力端子Ｄｉｎに入力された入力画像データをそのまま外部に出力可能な端子である。
このモニタ出力端子Ｍｏｕｔは、画像データ入力端子Ｄｉｎにそのまま並列接続されている形態も考えられるが、画像データを長い距離にわたって引き回すと信号が減衰してしまいノイズが混入しやすくなること、また画像データ出力装置１の画像データ出力段の出力インピーダンスが高い場合は、やはり画像データの信号が減衰してしまうことなどから、図３で示した画像データ出力部３２がバッファアンプを有し、このバッファアンプを介してモニタ出力端子Ｍｏｕｔから出力されるような構成となっているのが一般的である。
【００９４】
図１１に示すマルチディスプレイ装置では、それぞれのプロジェクタＰＪ１〜ＰＪ４が有するモニタ出力端子Ｍｏｕｔと画像データ入力端子Ｄｉｎとを用いて、複数のプロジェクタを直列接続することで、それぞれのプロジェクタＰＪ１〜ＰＪ４には同一の入力画像データを与えることができる。
【００９５】
図１１のように構成された実施形態５に係るマルチディスプレイ装置においても、実施形態１〜実施形態４に係るマルチディスプレイ装置で説明したと同様に、それぞれのプロジェクタＰＪ１〜ＰＪ４において、入力画像データからの所定範囲の画像データを切出して、切出された所定範囲の画像データを拡大するなどの部分画像データ生成処理を行う。このプロジェクタＰＪ１〜ＰＪ４での部分画像データ生成処理については、実施形態１〜実施形態４に係るマルチディスプレイ装置と同様に行うことができるので（図４〜図１０参照）、ここではその説明は省略する。
【００９６】
実施形態５に係るマルチディスプレイ装置によれば、実施形態１に係るマルチディスプレイ装置と同様の効果が得られることは勿論、実施形態５に係るマルチディスプレイ装置では、画像データ分配装置２が不要となり、また必要な接続ケーブルの本数を減らすことができるなど、マルチディスプレイ装置をより一層簡略化することができる。
【００９７】
なお、複数のプロジェクタを直列接続する際の順番は、複数のプロジェクタのうち垂直方向に隣接する２つのプロジェクタに注目したとき、表示面上で垂直方向における上側の画像を表示するプロジェクタが下側の画像を表示するプロジェクタよりも、入力画像データを時間的に早く入力可能とするような順番となるという条件を満たすように決定されることが好ましい。
【００９８】
この条件を満たすには、たとえば、図１１のように、左上の画像を表示するプロジェクタＰＪ１を先頭にして、以下、プロジェクタＰＪ２，ＰＪ３，ＰＪ４の順としてもよく、図１２（ａ）に示すように、左上の画像を表示するプロジェクタＰＪ１を先頭にして、以下、プロジェクタＰＪ２，ＰＪ４，ＰＪ３の順としてもよく、また、図１２（ｂ）に示すように、右上の画像を表示するプロジェクタＰＪ２を先頭にして、以下、プロジェクタＰＪ１，ＰＪ３，ＰＪ４の順としてもよい。さらに、図１２（ｃ）に示すように、左上の画像を表示するプロジェクタＰＪ１を先頭にして，プロジェクタＰＪ３，ＰＪ２，ＰＪ４の順とすることも考えられる。
【００９９】
ただし、入力画像データの本来の走査順序により近い状態で表示することを考慮すると、次のような条件を満たすような接続形態とすることがより好ましい。すなわち、複数のプロジェクタのうち水平方向に並ぶ複数のプロジェクタを１つのグループとし、該グループが垂直方向に複数のグループが存在する場合、垂直方向において隣接する２つグループに注目したとき、表示面上で垂直方向における上側の画像を表示するグループのプロジェクタが下側の画像を表示するグループのどのプロジェクタよりも、入力画像データを時間的に早く入力可能とするような順番とする。
【０１００】
これを図１１の例で考えると、図１１の接続形態は、プロジェクタＰＪ１，ＰＪ２を水平方向に並ぶ１つのグループ（第１グループ）とし、プロジェクタＰＪ３，ＰＪ４を水平方向に並ぶ１つのグループ（第２グループ）としたとき、これら垂直方向に隣接する２つのグループにおいて、上側の画像を表示する第１グループ内のプロジェクタＰＪ１，ＰＪ２は、下側の画像を表示する第２グループのどのプロジェクタＰＪ３，ＰＪ４よりも、入力画像データを時間的に早く入力可能とするような順番とするという条件を満たしている。こうすることで、入力画像データの本来の走査順序により近い状態で表示することができる。
【０１０１】
なお、図１１の例では、プロジェクタＰＪ１は背面投写用スクリーン上の視聴者側から見た左上の部分画像を生成・表示し、プロジェクタＰＪ２は背面投写用スクリーン上の視聴者側から見た右上の部分画像を生成・表示し、プロジェクタＰＪ３は背面投写用スクリーン上の視聴者側から見た左下の部分画像を生成・表示し、プロジェクタＰＪ４は背面投写用スクリーン上の視聴者側から見た右下の部分画像を生成・表示するという構成となっている。
【０１０２】
したがって、図１１に示すように、プロジェクタＰＪ１，ＰＪ２，ＰＪ３，ＰＪ４の順とすることで、入力画像データの本来の走査順序により近い状態で表示することができる。なお、水平方向に隣接するプロジェクタ同士は、順番が入れ替わったとしても、走査順序としての影響が少ないので、図１２（ａ），（ｂ）のような直列接続の順番とすることも可能である。また、図１２（ｃ）は複数のプロジェクタを直列接続する際の一つの接続形態ではあるが、入力画像データの本来の走査順序により近い状態で表示可能とするということを考慮した接続形態からは外れたものとなる。
【０１０３】
[実施形態６]
実施形態６に係るマルチディスプレイ装置は、実施形態１に係るマルチディスプレイ装置と実施形態５に係るマルチディスプレイ装置との組み合わせ、すなわち、画像データ分配装置２と複数のプロジェクタの直列接続とを組み合わせてマルチディスプレイ装置を構成するものである。
【０１０４】
図１３は実施形態６に係るマルチディスプレイ装置の構成を示す図である。実施形態６に係るマルチディスプレイ装置は、縦方向に４台、横方向に４台の合計１６台のプロジェクタＰＪ１〜ＰＪ１６を用いた例について説明する。
【０１０５】
図１３に示すように、マルチディスプレイ装置を構成するプロジェクタの台数が多い場合にも、実施形態２に係るマルチディスプレイ装置と同様に、すべてのプロジェクタを直列接続することも可能であるが、多数のプロジェクタを多段に直列接続すると、終端側のプロジェクタにおいて、入力される画像データが劣化したり位相の遅れが増大したりする場合もあるので、実施形態１に係るマルチディスプレイ装置において用いた画像データ分配装置２を併用した直列接続を行うことで、画像データの品質を維持した状態にすることができる。
【０１０６】
図１３に示す例では、４×４の１６台のプロジェクタＰＪ１〜ＰＪ１６を２×２の４台ずつのグループ、すなわち、プロジェクタＰＪ１〜ＰＪ４、プロジェクタＰＪ５〜ＰＪ８、プロジェクタＰＪ９〜ＰＪ１２、プロジェクタＰＪ１３〜ＰＪ１６に分けて、これら各グループごとに４台のプロジェクタをそれぞれ接続ケーブルＣ２，Ｃ３，Ｃ４を用いて直列接続し、各グループにおける直列接続の先頭のプロジェクタを画像データ分配装置２にそれぞれ接続ケーブルＣ１を用いて並列接続している。
【０１０７】
この図１３の例では、プロジェクタＰＪ１、ＰＪ５，ＰＪ９，ＰＪ１３がそれぞれのグループにおける直列接続の先頭のプロジェクタであるので、これらのプロジェクタＰＪ１、ＰＪ５，ＰＪ９，ＰＪ１３を画像データ分配装置２の出力端子Ｄｏｕｔにそれぞれ接続ケーブルＣ１を用いて接続している。なお、図１３中における各接続ケーブルＣ０〜Ｃ４に沿って示されている矢印は、入力画像データの流れを示している。
マルチディスプレイ装置を図１３のような構成とすることによって、マルチディスプレイ装置を構成するプロジェクタの台数が増えても、それぞれのプロジェクタに入力される画像データの劣化や位相遅れを抑えることができる。
【０１０８】
なお、図１３では画像データ分配装置を一台とした場合が示されているが、画像データ分配装置を複数台用いることによって、より多い台数のプロジェクタを用いたマルチディスプレイ装置を構成することも可能である。すなわち、１台の画像データ分配装置では、その出力端子の数に対応した台数のプロジェクタしか接続できないが、複数台の画像データ分配装置を用いることにより、マルチディスプレイ装置を構成するプロジェクタの台数や接続形態をより柔軟なものとすることができる。
【０１０９】
図１４は画像データ分配装置を複数台用いたマルチディスプレイ装置の構成例を示す図である。図１４においては、３台の画像データ分配装置２ａ，２ｂ，２ｃを用いた例が示されている。図１４に示すように、画像データ分配装置２ａの出力端子（図示せず）に画像データ分配装置２ｂ，２ｃをそれぞれ接続する。そして、画像データ分配装置２ｂ，２ｃのそれぞれの出力端子（図示せず）に、各グループの先頭のプロジェクタ（図１４の例ではＰＪ１〜ＰＪ８とする）の画像データ入力端子（図示せず）が接続され、これら各グループの先頭のプロジェクタＰＪ１〜ＰＪ８のそれぞれの画像データ出力端子（図示せず）に、複数台のプロジェクタが直列接続されている。
【０１１０】
このような構成とすることによって、マルチディスプレイ装置を構成するプロジェクタの台数や接続形態をより柔軟なものとすることができる。また、画像データ分配装置の台数や画像データ分配装置に接続されるプロジェクタの台数などは、所定の範囲で任意に設定することができる。
【０１１１】
なお、図１３及び図１４のような構成とする場合も、各グループにおける複数のプロジェクタの直列接続の順番は、図１１及び図１２（ａ），（ｂ），（ｃ）で示すような順番とすることが可能である。ただし、入力画像データの本来の走査順序により近い状態で表示することを考慮すると、図１１及び図１２（ａ），（ｂ）に示すような順番とすることが好ましい。
【０１１２】
ところで、以上説明した各実施形態において、プロジェクタＰＪ１〜ＰＪ４（実施形態６ではプロジェクタＰＪ１〜ＰＪ１６）がそれぞれの部分画像データ生成処理を行う際に、部分画像データ生成処理に必要な切出パラメータをそれぞれのプロジェクタＰＪ１〜ＰＪ４（実施形態６ではプロジェクタＰＪ１〜ＰＪ１６）の動作設定部３５に設定する必要がある。
このパラメータの設定は、ユーザがプロジェクタ本体に設けられた設定パネルを操作したりリモートコントローラなどを操作したりして行うことも可能であるが、個々のプロジェクタに対して手動で設定を行うのは煩雑であるため、自動または半自動で行えるようにすると利便性の高いものとなる。
【０１１３】
図１５はマルチディスプレイ装置を構成する複数のプロジェクタ（ここでは、４台のプロジェクタＰＪ１〜ＰＪ４とする）の各種の設定を可能とする画像表示装置制御ユニットの構成を示す図である。ここでは、前述した各実施形態に係るマルチディスプレイ装置において、プロジェクタＰＪ１〜ＰＪ４が部分画像データ生成処理を行うに必要な切出パラメータの設定を行う例について説明する。
【０１１４】
図１５に示すように、画像表示装置制御ユニットは、各種の制御を行うマイクロコンピュータなどの制御部５１、制御部５１の動作プログラム及びプロジェクタＰＪ１〜ＰＪ４に与えるべき切出パラメータなどの動作パラメータを記録可能なＰＲＯＭ５２、ＰＲＯＭ５２の内容を書き換え可能なＰＲＯＭ書き換え用インタフェース（Ｉ／Ｆ）５３、手動設定用スイッチ群５４、動作確認用ディスプレイ５５、シリアル通信用レベルコンバータ５６、いずれかのプロジェクタを選択可能なプロジェクタ選択手段としてアナログスイッチ５７、プロジェクタＰＪ１〜ＰＪ４との通信を行うためのシリアル通信端子５８１，５８２，・・・、プロジェクタＰＪ１〜ＰＪ４のトリガアウト端子からのトリガ信号（プロジェクタの電源がＯＮとなったことを示す信号や異常を示す信号など）を入力可能なトリガ信号入力部５９などを有している。
【０１１５】
なお、トリガ信号入力端子５９を有することにより、たとえばそれぞれのプロジェクタＰＪ１〜ＰＪ４の電源がＯＮとなったときのトリガ信号をトリガとして、画像表示装置制御ユニットによるプロジェクタの設定動作を開始させるといったことが可能となる。
また、シリアル通信端子５８１〜５８４は、それぞれのプロジェクタＰＪ１〜ＰＪ４に設けられているＲＳ−２３２Ｃ端子やＵＳＢ端子（図２参照）などのシリアル通信端子に接続される。
【０１１６】
図１６は画像表示装置制御ユニットによりプロジェクタＰＪ１〜ＰＪ４に対してパラメータ設定を行う場合の動作手順を示す図である。図１６に示すように、制御部５１による制御によってアナログスイッチ５７を切り替えることにより、制御対象となるプロジェクタを選択し（ステップＳ１）、選択された制御対象となるプロジェクタに対し、該プロジェクタに対する制御コマンドとしての部分画像データ生成処理開始コマンドを送信する（ステップＳ２）。
【０１１７】
そして、始点座標Ｐ（ｘｓ，ｙｓ）を制御対象となるプロジェクタに送信するとともに、拡大率Ｚを制御対象となるプロジェクタに送信する（ステップＳ３，Ｓ４）。なお、対象とするプロジェクタの適切な制御手順に従うために、ステップＳ２，Ｓ３，Ｓ４の順序を適宜入れ替えてもよい。
【０１１８】
なお画像表示装置制御ユニット側では、どのプロジェクタが投写画面上のどの位置の画像を表示するかを知っているものとする。すなわちそのような前提のもとで、それぞれのシリアル通信端子５８１〜５８４に対して適切な動作パラメータを伴うプロジェクタ制御コマンドを送信するプログラムがインストールされていて、かつ各シリアル通信端子５８１〜５８４と各プロジェクタのシリアル通信端子とがそのプログラムに基づいて適切に接続されていればよい。
【０１１９】
あるいは、ここでは詳細は説明しないが画像表示装置制御ユニットがそれぞれのプロジェクタとスクリーン上に表示された投写画像との対応を検出するための輝度センサ及び／又はカメラを備え、輝度センサ及び／又はカメラからの撮像データの処理を行うことにより、どのプロジェクタがスクリーン上のどの位置の画像を表示するかを動的に検知するようにすることも可能である。
【０１２０】
次に、全てのプロジェクタについて設定を行ったか否かを判断して（ステップＳ５）、全てのプロジェクタに対する設定処理が終了していれば処理を終了し、全てのプロジェクタに対する設定処理が終了していなければ、ステップＳ１に戻る。
【０１２１】
このような画像表示装置制御ユニットを用意することによって、それぞれのプロジェクタに対し、部分画像データ生成処理をイネーブルにしたり、切出パラメータをそれぞれのプロジェクタに設定する操作を外部からまとめて行ったりすることができる。これによって、ユーザがリモートコントローラなどを用いてそれぞれの画像表示装置に対してパラメータの設定を行うといった煩わしい作業を行わずに済み、使い勝手のよいマルチディスプレイ装置を実現することができる。
【０１２２】
なお、本発明は前述の実施の形態に限られるものではなく、本発明の要旨を逸脱しない範囲で種々変形実施可能となるものである。たとえば、下記の（１）〜（５）に示す変形例についても実施可能である。
【０１２３】
（１）プロジェクタＰＪ１〜ＰＪ４におけるそれぞれの液晶変調装置の解像度（水平方向解像度及び垂直方向解像度）が切出された部分画像データの解像度（水平方向解像度及び垂直方向解像度）よりも大きい場合には、図１５に示すように、液晶変調装置上で部分画像データの範囲を設定することもできる。
【０１２４】
図１７は液晶変調装置上で部分画像データの範囲を設定する場合のそれぞれのプロジェクタＰＪ１〜ＰＪ４における部分画像データ生成処理の例を示す図である。図１７において、一点鎖線で示す枠Ｖ１は液晶変調装置の表示可能領を示している。なお、図１７に示される部分画像データ生成処理において用いられる切出パラメータは、実施形態１に係るマルチディスプレイ装置と同様、部分画像データの始点座標と拡大率である場合が示されている。
このように、プロジェクタＰＪ１〜ＰＪ４におけるそれぞれの液晶変調装置の解像度が、切出された部分画像データの解像度よりも大きい場合には、液晶変調装置３６上の表示可能領域Ｖ１上で部分画像データの範囲を設定することができる。
【０１２５】
なお、図１７では実施形態１に係るマルチディスプレイ装置の説明で用いられた切出パラメータにより部分画像データの範囲の設定を行う例について示したが、切出パラメータは、実施形態２〜実施形態４で説明した各種の切出パラメータにより部分画像データの範囲の設定を行うことも可能であることは勿論である。
【０１２６】
図１８は図１７に示した部分画像データ生成処理によって生成された各プロジェクタＰＪ１〜ＰＪ４の部分画像データに対応する部分画像を、重複領域を設けないで表示した場合を示す図である。なお、図１７及び図１８においては隣接する表示画像に重複領域を設けない場合について説明したが、重複領域を設ける場合についても実施可能である。
【０１２７】
（２）前述の各実施形態に係るマルチディスプレイ装置においては、マルチディスプレイ装置を構成するプロジェクタの台数は、前述の各実施形態の例に限られるものではないことは勿論である。
【０１２８】
（３）前述の各実施形態に係るマルチディスプレイ装置においては、プロジェクタＰＪ１〜ＰＪ４の投写方向は背面投写であるとして説明したが、前面投写である場合にも適用できることは勿論である。
【０１２９】
（４）前述の各実施形態に係るマルチディスプレイ装置においては、各プロジェクタに用いられる電気光学変調装置は液晶変調装置としたが、デジタルミラーデバイスを用いたものであってもよい。
【０１３０】
（５）前述の各実施形態に係るマルチディスプレイ装置においては、画像表示装置としてプロジェクタを用いた例について説明したが、プロジェクタ以外の他の画像表示装置（たとえば液晶フラットパネルディスプレイなど）であってもよい。その場合、液晶フラットパネルディスプレイには、前述の各実施形態で説明したような部分画像データ生成処理機能などを備え、また、画像データ入力端子は勿論のこと、実施形態５及び実施形態６を実現するには、画像データ出力端子を備えていることが必要である。
【図面の簡単な説明】
【０１３１】
【図１】実施形態１に係るマルチディスプレイ装置の構成を示す図。
【図２】プロジェクタＰＪ１〜ＰＪ４に設けられている入出力端子の一例を示す図。
【図３】実施形態１に係るマルチディスプレイ装置を構成するプロジェクタの構成を示す図。
【図４】部分画像データ生成処理及びこの部分画像データ生成処理に必要な切出パラメータについて説明する図。
【図５】重複領域を設けずにタイリング表示する際のプロジェクタＰＪ１〜ＰＪ４における部分画像データ生成処理の例を示す図。
【図６】重複領域を設けてタイリング表示する際のプロジェクタＰＪ１〜ＰＪ４における部分画像データ生成処理の例を示す図。
【図７】エッジブレンディング処理について説明する図。
【図８】実施形態２に係るマルチディスプレイ装置において、入力画像データと異なったアスペクト比を有する部分画像データ生成処理の例について示す図。
【図９】実施形態３に係るマルチディスプレイ装置において、重複領域を設けずにタイリング表示する際のプロジェクタＰＪ１〜ＰＪ４におけるそれぞれの部分画像データ生成処理の例を示す図。
【図１０】実施形態４に係るマルチディスプレイ装置において、重複領域を設けずにタイリング表示する際のプロジェクタＰＪ１〜ＰＪ４における部分画像データ生成処理の例を示す図。
【図１１】実施形態５に係るマルチディスプレイ装置の構成を示す図。
【図１２】複数のプロジェクタの直列接続の接続形態の例を示す図。
【図１３】実施形態６に係るマルチディスプレイ装置の構成を示す図。
【図１４】画像データ分配装置を複数台用いたマルチディスプレイ装置の構成例を示す図。
【図１５】マルチディスプレイ装置を構成する複数のプロジェクタＰＪ１〜ＰＪ４の各種の設定を可能とする画像表示装置制御ユニットの構成を示す図。
【図１６】画像表示装置制御ユニットによりプロジェクタＰＪ１〜ＰＪ４に対してパラメータ設定を行う場合の動作手順を示す図。
【図１７】液晶変調装置上で部分画像データの範囲を設定する場合のそれぞれのプロジェクタＰＪ１〜ＰＪ４における部分画像データ生成処理の例を示す図。
【図１８】図１７に示した部分画像データ生成によって生成された各プロジェクタＰＪ１〜ＰＪ４の部分画像データに対応する部分画像を、重複領域を設けないで表示した場合を示す図。
【図１９】４台のプロジェクタを縦方向に２台、横方向に２台配置してスクリーン上にタイリング表示するマルチディスプレイ装置の一例を示す図。
【符号の説明】
【０１３２】
１・・・画像データ出力装置、２・・・画像データ分配装置、３１・・・画像データ入力部、３２・・・画像データ出力部、３４・・・遠隔操作信号受信部、３５・・・動作設定部、３６・・・表示制御部、３６１・・・画像データ処理部、ＰＪ１〜ＰＪ１６・・・プロジェクタ、Ｄｉｎ・・・画像データ入力端子、Ｄｏｕｔ・・・画像データ出力端子、Ｍｏｕｔ・・・モニタ出力端子、Ｃ０〜Ｃ４・・・接続ケーブル
【図３】
2006349791.tif 000003
【図７】
2006349791.tif 000004
【図１４】
2006349791.tif 000005
【図１５】
2006349791.tif 000006
【図１６】
2006349791.tif 000007
【図１】
2006349791.tif 000008
【図２】
2006349791.tif 000009
【図４】
2006349791.tif 000010
【図５】
2006349791.tif 000011
【図６】
2006349791.tif 000012
【図８】
2006349791.tif 000013
【図９】
2006349791.tif 000014
【図１０】
2006349791.tif 000015
【図１１】
2006349791.tif 000016
【図１２】
2006349791.tif 000017
【図１３】
2006349791.tif 000018
【図１７】
2006349791.tif 000019
【図１８】
2006349791.tif 000020
【図１９】
2006349791.tif 000021